(57)【要約】【課題】配索作業性を向上させることができるワイヤハーネス用シールド電線及びワイヤハーネス用シールド電線製造方法を提供すること。【解決手段】帯状のシールド部材４を電線２の外側に巻き付けてシールド部３を形成することで、シールド部３に電線２を挿通する作業を省略することができ、配索作業性を向上させることができる。シールド部４が径方向に重なった重なり部分４１が形成されていることで、ワイヤハーネス用シールド電線１が曲げられても電線２が露出せず、電磁波の漏洩や侵入を確実に防ぐことができる。【選択図】図１
2015032541.tif 000002
【特許請求の範囲】
【請求項１】
電線の外側を覆うシールド部を備えたワイヤハーネス用シールド電線であって、
前記シールド部は、帯状のシールド部材が径方向に重なりつつ軸方向に延びる螺旋状に巻き付けられることで形成されていることを特徴とするワイヤハーネス用シールド電線。
【請求項２】
前記シールド部には、径方向外側に突出するとともに軸方向に連続した螺旋状の凸部が形成されていることを特徴とする請求項１に記載のワイヤハーネス用シールド電線。
【請求項３】
前記シールド部には、径方向外側に突出するとともに軸方向に並んだ蛇腹状の凸部が形成されていることを特徴とする請求項１に記載のワイヤハーネス用シールド電線。
【請求項４】
請求項１〜３いずれか１項に記載のワイヤハーネス用シールド電線を製造するワイヤハーネス用シールド電線製造方法であって、
前記シールド部材が径方向に重なりつつ軸方向に延びるように、前記電線の外側に該シールド部材を螺旋状に巻き付けることで、前記シールド部を形成することを特徴とするワイヤハーネス用シールド電線製造方法。
【発明の詳細な説明】
【技術分野】
【０００１】
本発明は、電線の外側を覆うシールド部を備えたワイヤハーネス用シールド電線及び該ワイヤハーネス用シールド電線の製造方法に関する。
【背景技術】
【０００２】
従来、電線の外側にシールドパイプが設けられたワイヤハーネス用シールド電線が提案されている（例えば、特許文献１参照）。特許文献１に記載されたワイヤハーネス用シールド電線では、シールドパイプによって電線から外部に電磁波が漏洩したり、外部から電線に電磁波が侵入したりすることが防止されている。
【先行技術文献】
【特許文献】
【０００３】
【特許文献１】特開２００４−１７１９５２号公報
【発明の概要】
【発明が解決しようとする課題】
【０００４】
しかしながら、特許文献１に記載されたワイヤハーネス用シールド電線では、シールドパイプを形成した後に電線を挿通するため、シールドパイプが軸方向に長い場合や屈曲した場合には、電線の挿通作業が困難になってしまい、配索の作業性が低下するという不都合があった。
【０００５】
本発明の目的は、配索作業性を向上させることができるワイヤハーネス用シールド電線及びワイヤハーネス用シールド電線製造方法を提供することにある。
【課題を解決するための手段】
【０００６】
本発明のワイヤハーネス用シールド電線は、電線の外側を覆うシールド部を備えたワイヤハーネス用シールド電線であって、前記シールド部は、帯状のシールド部材が径方向に重なりつつ軸方向に延びる螺旋状に巻き付けられることで形成されていることを特徴とする。
【０００７】
このような本発明によれば、電線の外側にシールド部材を巻き付けることによってシールド部が形成されることで、シールド部に電線を挿通する作業を省略することができ、配索作業性を向上させることができる。また、シールド部材同士が径方向に重なっていることで、ワイヤハーネス用シールド電線が曲げられても電線が露出せず、電磁波の漏洩や侵入を確実に防ぐことができる。
【０００８】
この際、本発明のワイヤハーネス用シールド電線では、前記シールド部には、径方向外側に突出するとともに軸方向に連続した螺旋状の凸部が形成されていることが好ましい。
【０００９】
このような構成によれば、シールド部に螺旋状の凸部が形成されている、即ち、軸方向に凹凸が並んでいることで、ワイヤハーネス用シールド電線を容易に曲げることができ、ワイヤハーネス用シールド電線の配索作業性をさらに向上させることができる。また、このような凹凸は、軸方向に隣り合うシールド部材同士の重なり部分を凹部とするとともに、この重なり部分同士の間においてシールド部材が径方向に突出するように撓んだ部分を凸部とすることが好ましい。このような構成によれば、巻き付けたシールド部材を軸方向に圧縮することで容易に凹凸を形成することができるとともに、凹部即ち重なり部分においてワイヤハーネス用シールド電線が曲げられることで、電線の露出をさらに防ぐことができる。
【００１０】
さらに、本発明のワイヤハーネス用シールド電線では、前記シールド部には、径方向外側に突出するとともに軸方向に並んだ蛇腹状の凸部が形成されていることが好ましい。このような構成によれば、上述のようにワイヤハーネス用シールド電線の配索作業性をさらに向上させるとともに、ワイヤハーネス用シールド電線を各方向に曲げる際に必要な力を略等しくすることができ、配索作業性をさらに向上させることができる。
【００１１】
一方、本発明のワイヤハーネス用シールド電線製造方法は、前記ワイヤハーネス用シールド電線を製造するワイヤハーネス用シールド電線製造方法であって、前記シールド部材が径方向に重なりつつ軸方向に延びるように、前記電線の外側に該シールド部材を螺旋状に巻き付けることで、前記シールド部を形成することを特徴とする。このような本発明によれば、前述のように配索作業性に優れたワイヤハーネス用シールド電線を製造することができる。
【発明の効果】
【００１２】
以上のような本発明のワイヤハーネス用シールド電線及びワイヤハーネス用シールド電線製造方法によれば、シールド部が径方向に重なりつつ螺旋状に巻き付けられたシールド部材を備えていることで、配索作業性を向上させることができるとともに、電磁波の漏洩や侵入を確実に防ぐことができる。
【図面の簡単な説明】
【００１３】
【図１】本発明の実施形態に係るワイヤハーネス用シールド電線を示す側面図及び断面図である。
【図２】前記ワイヤハーネス用シールド電線にシールド部材を巻き付ける様子を示す側面図である。
【図３】前記ワイヤハーネス用シールド電線にシールド部を形成する様子を示す断面図である。
【図４】本発明の変形例に係るワイヤハーネス用シールド電線を示す側面図である。
【発明を実施するための形態】
【００１４】
以下、本発明の実施形態を図面に基づいて説明する。尚、本実施形態における径方向及び軸方向は図１に示す通りとし、径方向におけるワイヤハーネス用シールド電線１の中心側を内側とし、ワイヤハーネス用シールド電線１の外部側を外側とする。
【００１５】
図１において、本実施形態のワイヤハーネス用シールド電線１は、２本の電線２と、電線２の外側を覆うシールド部３と、を備えて構成されている。
【００１６】
電線２は、それぞれ一対の導体２１と、導体２１の外側を覆う絶縁被覆２２と、を備えている。
【００１７】
シールド部３は、電線２の外側に螺旋状に巻き付けられた後述する帯状のシールド部材４を径方向外側に凸に撓み変形させたものであって、凸部３１が軸方向に螺旋状に連続するとともに、凹部３２において隣同士が互いに径方向に重なっている。
【００１８】
次に、電線２の外側にシールド部３を形成する手順について説明する。まず、図２に示すように、導電性の帯状のシールド部材４を繰出すとともに、電線２を回転させつつ軸方向に送ることで、シールド部材４を電線２の外側に螺旋状に巻き付ける。このとき、図３（Ａ）にも示すように、隣り合うシールド部材４同士を径方向に重ねることで重なり部分４１を形成する。
【００１９】
次に、重なり部分４１が径方向外側に変形することを防ぎつつ、シールド部材４を軸方向に圧縮することで、図３（Ｂ）に示すように、重なり部分４１同士の間においてシールド部材４を径方向外側に突出するように撓み変形させる。このようにして凸部３１が軸方向に螺旋状に連続するとともに、凹部３２において径方向に重なったシールド部３を形成する。
【００２０】
このような本実施形態によれば、以下のような効果がある。即ち、電線２の外側にシールド部材４を巻き付けることによってシールド部３が形成されることで、シールド部３に電線２を挿通する作業を省略することができ、配索作業性を向上させることができる。また、シールド部材４（即ち、シールド部３）同士が径方向に重なっていることで、ワイヤハーネス用シールド電線１が曲げられても電線２が露出せず、電磁波の漏洩や侵入を確実に防ぐことができる。
【００２１】
さらに、シールド部３の外側に凸部３１及び凹部３２が形成されていることで、ワイヤハーネス用シールド電線１を容易に曲げることができ、ワイヤハーネス用シールド電線１の配索作業性をさらに向上させることができる。
【００２２】
また、重なり部分４１が凹部３２となるようにシールド部材４を撓ませることで、シールド部３に容易に凸部３１及び凹部３２を形成することができる。
【００２３】
なお、本発明は、前記実施形態に限定されるものではなく、本発明の目的が達成できる他の構成等を含み、以下に示すような変形等も本発明に含まれる。例えば、前記実施形態では、シールド部３に形成された凸部３１は軸方向に螺旋状に連続するものとしたが、図４に示すように、シールド部３Ｂには、軸方向に並んだ蛇腹状の凸部３１Ｂが形成されていてもよい。このような構成によれば、ワイヤハーネス用シールド電線１を各方向に曲げる際に必要な力を略等しくすることができ、配索作業性をさらに向上させることができる。
【００２４】
また、前記実施形態では、重なり部分４１が凹部３２となるようにシールド部材４を撓み変形させることでシールド部３を形成するものとしたが、重なり部分４１が凸部３１となるようにシールド部材４を撓み変形させてもよい。このような構成によれば、重なり部分４１以外の部分を凸状に変形させる構成と比較して、シールド部材４の変形量を少なくすることができる。
【００２５】
また、前記実施形態では、シールド部材４を軸方向に圧縮して凹部３２及び凸部３１を有するシールド部３を形成するものとしたが、例えば、シールド部材４を巻き付けた後に適宜な成形型を押し付けることで凹凸を成形してもよいし、回転させつつ軸方向に送られた電線２及びシールド部材４を適宜な成形型に通過させることで凹凸を成形してもよいし、予め撓ませたシールド部材を電線２に巻き付けて凹凸を形成してもよい。また、凹凸を成形する工程を省略し、巻き付けられたシールド部材４がシールド部として機能してもよい。
【００２６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００２７】
１   ワイヤハーネス用シールド電線
２   電線
３   シールド部
４   シールド部材
３１ 凸部
【図１】
2015032541.tif 000003
【図２】
2015032541.tif 000004
【図３】
2015032541.tif 000005
【図４】
2015032541.tif 000006